(57)【要約】【課題】掛布団のずれを防止し、保温性を保つ掛布団の布団カバーを提供すること。【解決手段】ベッド上で使用される布団４を内部に収容可能な布団収容袋部５の側部にフリル２が取り付けられており、フリル２は、布団収容袋部５の表布１ｅに対して、布団収容袋部５の側縁から表布１ｅの中央部側にずれた所で連結されて、布団収容袋部５から外側に延出するように設けられている構成とした。また、フリル２にはフリル２の自重を増加させるひもが設けられている構成とした。また、布団カバー１と、布団カバー１の下面を覆うようにして設けられる下布団カバーとの間に追加布団を保持できるようになっている構成とした。【選択図】      図２
2004298481.tif 000002
【特許請求の範囲】
【請求項１】
ベッド上で使用される布団を内部に収容可能な布団収容袋部の側部にフリルが取り付けられており、前記フリルは、前記布団収容袋部の表布に対して、前記布団収容袋部の側縁から前記表布の中央部側にずれた所で連結されて、前記布団収容袋部から外側に延出するように設けられていることを特徴とする布団カバー。
【請求項２】
前記フリルには該フリルの自重を増加させる重りが設けられていることを特徴とする請求項１記載の布団カバー。
【請求項３】
前記布団収容袋部と、該布団収容袋部の下面を覆うようにして設けられる下布団カバーとの間に追加布団を保持できるようになっていることを特徴とする請求項１または２記載の布団カバー。
【発明の詳細な説明】
【０００１】
【発明の属する技術分野】
本発明は、ベッドで用いられる布団を内部に収納する布団カバー、あるいは上下から布団を挟み込む布団カバーに関する。
【０００２】
【従来の技術】
図９に示すように、ベッド用掛布団１００を収容する布団カバー１０１（ベッドスプレッドと呼ばれることもある）としては、周縁部の内の頭側を除く部分の全体にわたってフリル１０２が取り付けられたものが広く用いられている。ベッド用掛布団１００は、ベッド１０３の幅Ｗとほぼ一致する幅寸法に形成されていることが一般的であり、ベッド用掛布団１０１をベッド１０３の形状に合わせて載せると、ベッド用掛布団１０１の外側の布団カバー１００の側縁１０４から延びるフリル１０２がベッド１０３の三方（足側及び両側部）を取り囲むように配置される。
【０００３】
この種の布団カバーとしては、例えば、以下の特許文献１にも開示がある。
【０００４】
【特許文献１】
特開平８−１０１２１号公報
【０００５】
【発明が解決しようとする課題】
しかしながら、従来の布団カバーを用いた場合においては、一般に用いられる羽毛布団等の掛布団は軽量であり、側縁が捲れ上がり易い。また、掛布団の横幅がベッドの横幅の分だけしかないために、掛布団が身体に対してずれると、掛布団とベッドとの間で暖められた空気が布団の外に逃げるおそれがあった。また、布団を重ねると、布団の表面同士が接した面は滑り易くなっているために、さらに掛布団がずれる可能性があった。
また、図１０に示すように、ベッド１０５を新たに購入した場合、それまで使用していた掛布団（例えば、畳などの床上に敷いて用いる布団の掛布団）１０６の大きさがベッドの大きさに合わず、掛布団の端部１０６ａがベッドの端部１０５ａから垂れ下がり、見た目上悪くなっていたことがあった。
【０００６】
本発明は上記の事情に鑑みてなされたものであり、掛布団のずれを防止し、保温性を保つ掛布団の布団カバーを提供することを目的としている。
【０００７】
【課題を解決するための手段】
上記の課題を解決するための手段として、次のような構成を採用する。すなわち本発明に係る請求項１記載の布団カバーは、ベッド上で使用される布団を内部に収容可能な布団収容袋部の側部にフリルが取り付けられており、前記フリルは、前記布団収容袋部の表布に対して、前記布団収容袋部の側縁から前記表布の中央部側にずれた所で連結されて、前記布団収容袋部から外側に延出するように設けられていることを特徴とする。
【０００８】
本発明においては、布団の側縁がフリルの重みによって下方向に押さえつけられているために布団がずれ難く、布団の端部が捲れ上がり難い。また、布団の側縁が捲れ上がったとしても、フリルによって、布団の捲れ上がった所への外気の侵入を効果的に阻止できる。
【０００９】
また、フリルの取り付け位置が内側となることで、従来布団の端部より延出していたものよりも、ベッドの側部とフリルとで囲まれた空間の容積が大きくなるために、断熱性が高まる。
【００１０】
また、布団の横幅がベッドの横幅よりも大きく、ベッドからはみ出すようなことがあってもフリルが布団の側縁よりも内側から延出しているために、フリルによって布団の端部が隠れ、見た目上フリルの取り付け位置が布団の端部に見えるため、布団の端部がベッドの大きさに適合しているように見える。
【００１１】
また、布団の横幅がベッドの横幅よりも大きいとき、フリルが側縁に取り付けられている場合はフリルの重みが側縁にかかり、力はほぼ鉛直方向下向きにかかっているが、フリルの取り付け位置を内側にした場合は、フリルの重みによる力の作用する範囲が広く、ベッドから突出した部分の布団を内側方向に押さえつける力が生じるので、布団の端部が浮き上がり難い。
【００１２】
本発明に係る請求項２に記載の布団カバーは、請求項１記載の布団収容袋において、前記フリルには該フリルの自重を増加させる重りが設けられていることを特徴とする。
【００１３】
本発明においては、フリルに自重を増加させる重りが設けられていることで、布団の端部を押さえつける力がさらに強くなるために、布団がさらに身体に対してずれないように固定される。
【００１４】
本発明に係る請求項３に記載の布団カバーは、布団収容袋と、該布団収容袋部の下面を覆うようにして設けられる下布団カバーとの間に追加布団を保持できるようになっていることを特徴とする。
【００１５】
本発明においては、布団カバーと、布団カバーの下面を覆うようにして設けられる下布団カバーとの間に追加布団を保持できるようになっていることで、布団カバー内に収納した布団と布団収容袋と下布団カバーとの間に挟んだ追加布団との間が固定されて滑りを起こさず、ずれを生じない。そのため、寝返りを打ったとしても布団と追加布団とが離れることを防ぐ。また、洗濯の際には、下布団カバーのみを洗濯するだけでよい。
【００１６】
【発明の実施の形態】
本発明に係る布団カバーの第１の実施形態を、図１ないしは図５に示して説明する。
図１及び図２に示す布団カバー１は、フリル２を備えており、ベッド３上に載置されている。また、布団カバー１の内部に布団４を収納する布団収容袋部５を備えている。便宜上、布団カバー１における袋体の頭側の側部を１ａ、足側の側部を１ｂ、布団内に就寝者が仰向けに寝た場合、就寝者の左側部を１ｃ、右側部を１ｄとする。ベッドに対して反対側の上面である表布を１ｅ、ベッド側である裏布を１ｆとする。
【００１７】
布団４は扁平状とされており、長方形の形状とされている。
布団４の側縁を４ａとし、ベッドから突出した部分を４ｂとする。フリル２は布団４の側縁４ａよりも内側の布団カバー１に取り付けられており、かつ、布団カバー１の表布１ｅ側に取り付けられて延出されている。布団収容袋部５の、フリル２の取り付け位置よりも外側に張り出している部分を５ａとする。
フリル２は、頭側１ａを除いて左側部１ｃ、右側部１ｄ、足側の側部１ｂの３辺のそれぞれ表布１ｅの中央部側にずれた所で連結されて布団収容袋部５から外側に延出するように設けられている。（以下、四辺の縁付近の部分のことを側部と言い、縁を側縁と言う。）図２に、ベッド上に載置された布団４及び布団カバー１の断面図を示す。なお、ここでは、側部は側縁から３０ｃｍ程度の範囲を指すこととする。
布団カバー１の頭側１ａを除いた各辺の側部である足側の側部１ｂ、左側部１ｃ、右側部１ｄにおいては、布団収容袋部５の張り出した部分５ａとフリル２とは分離されている。
【００１８】
図３に示すように、布団カバー１における左側部１ｃのフリル２の下部には、布団４を挿入するための布団挿入口６及びファスナー７が設けられている。布団挿入口６に沿ってファスナー７が形成されている。ファスナー７は、左側部１ｃにおいて長手方向全体にわたって設けられている。また、フリル２はファスナー７及び布団挿入口６の上部に覆い被さるようになっている。
また、フリル２の端部には、図４に示すようにひも８が設けられている。
【００１９】
上記のように構成された布団カバー１においては、図３に示すように、ファスナー７によって開閉自在とされた布団挿入口６から布団４が挿入され、布団カバー１内部に布団４が収納される。ファスナー７及び布団挿入口６は、フリル２がファスナー７及び布団挿入口６の上部に覆い被さるようになっているために、外観では見えないようになっている。
【００２０】
また、通常の布団カバーにおいてはフリルが各辺の側縁から延出しており、布団の内部に充填されている羽毛や綿といった充填材は、ベッドの幅の分だけしか充填されていなかったが、本発明に係る布団カバー１においてはフリル２が布団４の側縁４ａよりも中央部側にずれた表布１ｅより延出しているために、ベッドの幅よりも大きな幅にわたって多くの充填材が充填されており、使用者の左右両側部１ｃ、１ｄが充填材によって確実に塞がれた状態となるため、より高い保温性が保たれ、使用感が向上する。
【００２１】
また、フリル２の位置が就寝者から遠い位置となるので、寝返りを打ったときにフリル２の裾を巻き込み難く、布団４の位置がずれ難い。
【００２２】
また、ベッドを新たに購入した場合、それまで使用していた掛布団の大きさがベッドの大きさに合わず、掛布団の端部がベッドの端部から垂れ下がり、見かけ上悪くなっていたことがあったが、本発明における布団カバー１においては、フリル２が布団４の側縁４ａよりも中央部側の表布１ｅから延出しているために、フリル２によって布団４の側縁４ａが隠れ、見た目が自然に見え、意匠性が良い。
【００２３】
特に、普段から畳の上で寝ている人が新たにベッドを購入した場合、一般に畳の上で用いられる布団の幅（およそ１５０ｃｍ）はシングルベッド上で用いられる布団（およそ１００ｃｍ）よりも横幅が広くなっている。しかし、フリル２によって布団４の端部が隠されて、布団までも新たに購入する必要がなく経済的である。
【００２４】
上記の布団カバー１を用いて就寝すると、布団カバー１から布団カバー１の外側へ延出するフリル２が少なくとも布団カバー１の両側の側部１ｃ、１ｄに取り付けられており、フリル２の取り付け位置よりも外側に布団カバー１の一部が存在することで、寝返りを打ったとしても布団４がフリル２の重みによって下方向に押さえつけられているために布団４がずれ難く、布団４の端部が捲れ上がることも起こり難い。また、ずれたとしても、フリル２が身体を包むので布団内の暖かい空気が布団の外へ逃げない。
【００２５】
また、布団４の横幅がベッドの横幅よりも大きく、ベッドからはみ出すようなことがあってもフリル２が布団４の側縁４ａよりも内側から延出しているために、フリル２によって布団４の端部が隠れ、見た目上フリル２の取り付け位置が布団４の端部に見えるため、フリル２に覆われた布団４の端部がベッドの大きさに適合しているように見えて、意匠性が良い。
【００２６】
また、布団４の横幅がベッド３の横幅よりも大きいとき、フリルが布団カバーの側縁に取り付けられている場合はフリルの重みが側縁にかかり、力はほぼ鉛直方向下向きにかかっているが、フリル２の取り付け位置を内側にした場合は、フリル２の重みによる力の作用する範囲が、フリル２を側縁に取り付けた場合と比べて広く、布団４のベッドから突出した部分４ｂを内側方向に押さえつける力が生じるので、布団の端部が浮き上がり難い。
【００２７】
また、フリル２の外側端部にフリル２の自重を増加させるひも８が設けられていることで、布団４の端部を押さえつける力がさらに強くなるために、布団４がさらに身体に対してずれないように固定される。そのため、身体の一部が布団４の外へ露出せず、快適に就寝できる。
【００２８】
なお、本実施形態では重りをひも８としたが、図５に示すように、これにかえてフリル２の側縁２ａに金属片や、金属あるいは樹脂によって形成されたフィラメント等を入れた重り９を取り付けても構わない。また、この重り９の重量及び大きさは、使用者の好みに合わせて適宜変えられるようになっている。また、フリル２の長さや大きさを変えることによってフリルの自重を調節してもよい。
【００２９】
また、中の布団４を入れ替えるだけで、季節に応じた掛布団とすることができ、季節に応じての布団４の調節が楽に行え、取り扱いが楽である。
【００３０】
次に、本発明に係る布団カバーの第２の実施形態を図６ないし図８に示して説明する。
【００３１】
図６に示す第２の実施形態の布団カバーにおいては、第１の布団を内部に収納した上布団カバー（布団カバー）１０と、下布団カバー１１と、肌掛け布団である第２の布団（追加布団）１２とから構成されている。また、上布団カバー１０と下布団カバー１１との間に第２の布団１２を配置してベッド上に載置したものの断面図を図７に示す。
【００３２】
上布団カバー１０の左側部には開閉用ファスナー１３が設けられている。この開閉用ファスナー１３によって上布団カバー１０の布団収容袋部１０ａに第１の布団１４が収納されている。上布団カバー１０にはフリル１５が設けられている。また、説明上、布団カバー１０の側縁を１０ｂとし、ベッドとは反対側の上面を表布１０ｃとすると、フリル１５は、頭側を除いて長手方向各辺の両側部及び足側の側部と３辺に設けられている。フリル１５は上布団カバー１０の側縁１０ｂから表布１０ｃの中央部側にずれた所で連結されて、布団収容袋部１０ａから外側に延出するように設けられている。上布団カバー１０の頭側の端部１０ｄには、固定用上ファスナー１６が設けられている。また、上布団カバー１０の両側部には、３つずつ環状部材１７が設けられている。また、足側端部１０ｅの幅方向中心にも環状部材１７が設けられている。また、第２の布団１２にも上布団カバー１０と同様に環状部材１７が両側部に３つずつ、幅方向中心に１つずつ、計８つ設けられている。
【００３３】
第２の布団１２を介して上布団カバー１０の下部には下布団カバー１１が配置される。下布団カバー１１の頭側には折り返し部１８が設けられており、折り返し部１８の下には固定用下ファスナー１９が設けられている。また、下布団カバー１１においては両側部に３つずつ係止部材２０が設けられている。また、足側端部の幅方向中心にも係止部材２０が設けられている。上布団カバー１０における環状部材１７の位置と第２の布団１２における環状部材１７の位置と下布団カバー１１における係止部材２０の位置とは設置した際に一致するようになっており、それぞれ環状部材１７と係止部材２０とによって係止部２１が構成されている。
【００３４】
図８に示す上布団カバー１０と下布団カバー１１との係止部２１においては、環状部材１７内に、先端部にボタン２２が配された係止部材２０の一方を通し、その後ボタン２２を留めることによって上布団カバー１０と下布団カバー１１とが係止される。
【００３５】
上記の布団カバーにおいては、第２の布団１２を上布団カバー１０と下布団カバー１１との間に配置する際、まず下布団カバー１１をベッド上に載置し、それから第２の布団１２を下布団カバー１１の上に載置し、次いで上布団カバー１０を第２の布団１２の上に載置し、その後、固定用上ファスナー１６と固定用下ファスナー１９とを取り付けると共に、各係止部２１を係止することによって上布団カバー１０を下布団カバー１１に対して固定する。あるいは、上布団カバー１０と下布団カバー１１とを固定用上ファスナー１６と固定用下ファスナー１９とで取り付けると共に各係止部２１で固定し、それから上布団カバー１０と下布団カバー１１との間に第２の布団１２を挿入して、配置しても良い。
【００３６】
また、本実施形態においては、上布団カバー１０における下布団カバー１１の折り返し部１８の下に入り込む部分の側部にフリル１５が設けられているが、フリル１５が折り返し部１８の下に入り込み、折り返し部１８付近のフリル１５が不自然に見えるのを防ぐために、折り返し部１８付近にはフリル１５を設けなくとも良い。
【００３７】
上記の布団カバーにおいては、上布団カバー１０の下面を覆うようにして第２の布団１２を保持できるように下布団カバー１１が設けられていることで、第１の布団１４を挿入した上布団カバー１０の下部に第２の布団１２が配置され、その下から下布団カバー１１を取り付けて固定する。こうすることで、第１の布団１４と第２の布団１２との間が固定されて滑らず、ずれを生じない。そのため、寝返りを打ったとしても第１の布団１４と第２の布団１２とが離れることを防ぐ。また、２枚の布団が一体化されるために２枚外れることなく、１枚の布団の如く使用でき使用感も良い。また、洗濯の際には、下布団カバー１１のみを洗濯すればよく、洗濯の際の手間が省ける。
【００３８】
なお、第２の布団１２は肌掛け布団に限定されず、例えば、毛布等であってもよい。また、第１の布団１４及び第２の布団１２は、気温等によって入れるものを交換できる。また、第２の布団１２は気温に応じて省いてもよい。
【００３９】
【発明の効果】
以上説明したように、本発明に係る布団収容袋によれば、布団カバーが、布団収容袋部と、布団収容袋部の側縁から表布の中央部側にずれた所で連結されて、布団収容袋部から外側に延出するように設けられたフリルとを有することで、布団がずれ難く、布団の端部が捲れ上がることも起こり難いので身体の一部が布団の外へ露出せず、快適に就寝できる。また、ずれたとしても、フリルが身体を包み、布団内の暖かい空気が布団の外へ逃げないので、布団内の保温性が保持されて快適に就寝できる。また、断熱性が高まるために、布団の保温機能が向上し、快適に就寝できる。また、布団の端部がベッドの大きさに適合しているように見えるので、意匠性が良い。
【００４０】
また、フリルに自重を増加させる重りが設けられていることで、布団がさらに身体に対してずれないように固定されるために、身体の一部が布団の外へ露出せず、快適に就寝できる。
【００４１】
また、布団収容袋と、該布団収容袋の下面を覆うようにして設けられる下布団カバーとの間に追加布団を保持できるようになっていることで、寝返りを打ったとしても布団と追加布団とが離れることを防ぐので、布団内の保温性が保持されて、快適に就寝できる。また、洗濯の際には、下布団カバーのみを洗濯するだけでよく、洗濯する際の手間が省ける。
【図面の簡単な説明】
【図１】本発明の一実施形態における布団カバーを用いた掛布団をベッド上に載置したものの斜視図である。
【図２】本発明の一実施形態における布団カバーを用いた掛布団をベッド上に載置したものの断面図である。
【図３】本発明の一実施形態における布団カバーに布団を挿入する図である。
【図４】本発明の一実施形態における布団カバーのフリルの拡大図である。
【図５】本発明の他の実施形態における布団カバーのフリルの拡大図である。
【図６】本発明の他の実施形態における第１の布団を内部に収納した上布団カバーと下布団カバーと第２の布団の全体斜視図である。
【図７】本発明の他の実施形態における第１の布団を内部に収納した上布団カバーと下布団カバーと第２の布団の断面図である。
【図８】本発明の他の実施形態における第１の布団を内部に収納した上布団カバーと下布団カバーと第２の布団との係止部による係止の過程図である。
【図９】従来の布団カバーを用いた掛布団をベッド上に載置したものの断面図である。
【図１０】従来の別の布団カバーを用いた掛布団をベッド上に載置したものの断面図である。
【符号の説明】
１  布団カバー
２  フリル
４  布団
１０  上布団カバー
１１  下布団カバー
１２  第２の布団
１５  フリル
【図１】
2004298481.tif 000003
【図２】
2004298481.tif 000004
【図３】
2004298481.tif 000005
【図４】
2004298481.tif 000006
【図５】
2004298481.tif 000007
【図６】
2004298481.tif 000008
【図７】
2004298481.tif 000009
【図８】
2004298481.tif 000010
【図９】
2004298481.tif 000011
【図１０】
2004298481.tif 000012